(57)【要約】【課題】床パネルの厚みの変化に対応でき、尚且つ、作業性の良い床パネルの取付構造を提供する。【解決手段】固定具４は、移動体１１と、該移動体１１の上部に上下動可能に螺合されるボルト１２と、移動体１１の下部に枢支されて自重により移動体１１に沿う起立位置から倒伏位置まで回動するフック７を備える。床パネル２に前記固定具４の移動体１１及び起立位置に配置されたフック７を挿入するための上下に貫通する透孔８が形成される。透孔８に移動体１１が挿入される。移動体１１の上部に螺合されたボルト１２の床パネル２の上面側に位置する頭部２６で床パネル２が下方に押圧される。倒伏位置に配置されて移動体１１から側方に突出したフック７がフランジ５の下面に係止される。フック７とボルト１２の頭部２６とで床パネル２が上下方向に挟持される。【選択図】      図１
2010084467.tif 000002
【特許請求の範囲】
【請求項１】
架構体のフランジ上に載置される床パネルを架構体に固定するための固定具を備え、該固定具は、移動体と、該移動体の上部に上下動可能に螺合されるボルトと、移動体の下部に枢支されて自重により移動体に沿う起立位置から倒伏位置まで回動するフックを備え、床パネルに前記固定具の移動体及び起立位置に配置されたフックを挿入するための上下に貫通する透孔が形成され、該透孔に前記移動体が挿入され、倒伏位置に配置されて移動体から側方に突出したフックがフランジの下面に係止され、移動体の上部に螺合されたボルトの床パネルの上面側に位置する頭部で床パネルが下方に押圧され、該フックとボルトの頭部とで床パネルが上下方向に挟持されることを特徴とする床パネルの取付構造。
【請求項２】
前記移動体に側方に突出する回り止め用の突片部が形成されることを特徴とする請求項１に記載の床パネルの取付構造。
【請求項３】
前記ボルトは移動体に対して取り外し可能に螺着されることを特徴とする請求項１又は請求項２に記載の床パネルの取付構造。
【発明の詳細な説明】
【技術分野】
【０００１】
本発明は架構体に取り付けられる床パネルの取付構造に関する。
【背景技術】
【０００２】
梁等のフランジを備えた架構体に床パネルを取り付ける構造としては例えば特許文献１に示すものが知られている。この取付構造では、床パネルに形成された透孔に上方からボルトが挿通され、該ボルトの床パネルから下方に突出する軸部にプレートが上下動可能に螺合される。そして、ボルトを締めることにより、ボルトの床パネルの上面側に配置された頭部にて床パネルを下方に押圧し、該ボルトに螺合されたプレートと床パネルとで上フランジが挟持される。この取付構造にあっては、ボルトに対してプレートを上下動できるので床パネルの厚みの変化に対応することができる。
【特許文献１】特開２０００−２７３９９５号公報（図５）
【発明の開示】
【発明が解決しようとする課題】
【０００３】
ところで、上記従来の取付構造においては、ボルトの軸部にプレートを螺合する際等に床パネルの上面側と下面側における作業が必要であり、作業性が悪いという問題がある。
【０００４】
本発明は上記従来の問題点に鑑みてなされたものであって、床パネルの厚みの変化に対応でき、尚且つ、作業性の良い床パネルの取付構造を提供することを課題とする。
【課題を解決するための手段】
【０００５】
上記課題を解決するために請求項１に係る床パネルの取付構造は、架構体１のフランジ５上に載置される床パネル２を架構体１に固定するための固定具４を備え、該固定具４は、移動体１１と、該移動体１１の上部に上下動可能に螺合されるボルト１２と、移動体１１の下部に枢支されて自重により移動体１１に沿う起立位置から倒伏位置まで回動するフック７を備え、床パネル２に前記固定具４の移動体１１及び起立位置に配置されたフック７を挿入するための上下に貫通する透孔８が形成され、該透孔８に前記移動体１１が挿入され、倒伏位置に配置されて移動体１１から側方に突出したフック７がフランジ５の下面に係止され、移動体１１の上部に螺合されたボルト１２の床パネル２の上面側に位置する頭部２６で床パネル２が下方に押圧され、該フック７とボルト１２の頭部２６とで床パネル２が上下方向に挟持されることを特徴とする。
【０００６】
また、前記移動体１１に側方に突出する回り止め用の突片部２１、２１が形成されることが好ましい。
【０００７】
また、前記ボルト１２は移動体１１に対して取り外し可能に螺着されることが好ましい。
【発明の効果】
【０００８】
本発明の請求項１に係る床パネルの取付構造にあっては、ボルトの頭部で床パネルを下方に押圧し、倒伏位置に配置されたフックを上フランジの下面に係止し、フックと床パネルとで上フランジが上下方向に挟持した状態で、床パネルを架構体に固定することができる。
【０００９】
また、固定具は床パネルの上面側からボルトの頭部を操作することにより、フックからボルトの頭部までの上下長さを調節することができ、床パネルの厚みの変化に対応できる。また、フックが移動体の下部に枢支されて自重により移動体に沿う起立位置から倒伏位置まで回動するので、床パネルの下面側において収納位置にあるフックを倒伏位置に回動させる作業をする必要がない。このため、前記固定具による床パネルの固定を全て床パネルの上面側から行うことが可能となり、施工性に優れ、また、安全性も高い。
【００１０】
また、請求項２にあっては、ボルトの頭部を操作する際に、突片部の先端部を透孔の内面に当接させることで、移動体がボルトと共に回転することを防止できる。
【００１１】
また、請求項３にあっては、施工後においてボルトと移動体を分割することができ、リフォーム等の際に階下の天井等を除去することなく固定具による床パネルの固定を解除することができる。
【発明を実施するための最良の形態】
【００１２】
以下、本発明の実施形態の一例を添付図面に基づいて説明する。
【００１３】
図１に示す本例の床パネルの取付構造は、建物の架構体１と、この上に直接載置された床パネル２とを固定具４を用いて固定するものである。
【００１４】
図示例の架構体１は建物に架設される梁からなり、Ｈ形鋼で構成されている。なお、架構体１としてはＨ形鋼に限定されるものではなく、例えば溝型鋼等の他の形鋼であっても良い。
【００１５】
床パネル２はＡＬＣパネルで構成され、その端縁部が図１や図４に示すように架構体１の上端に設けた上フランジ５上に載置される。床パネル２もＡＬＣパネルに限定されるものではない。
【００１６】
床パネル２の端縁部には上下に貫通する透孔８が形成されている。透孔８はざぐり加工を施した孔からなり、円形の主部９と上端部の主部９よりも大径の大径部１０とで構成されている。
【００１７】
図２等に示すように、固定具４は、移動体１１と、移動体１１の上部に上下動可能に螺合されるボルト１２と、移動体１１の下部に枢支されて自重により移動体１１に沿う起立位置から倒伏位置まで回動するフック７とで構成されている。なお、以下の固定具４の説明では、特に記載する場合を除きフック７を倒伏位置に配置した図２に示す状態につき説明する。
【００１８】
移動体１１は金属板を折り曲げてなる縦長の部材からなり、縦長で且つ水平断面形状が前方（架構体１側）に開口するコ字状となったフック収納部１４と、フック収納部１４から上方に突出したばね性を有するばね片部１５とで構成されている。
【００１９】
フック収納部１４の両側の側片部１７、１７の下端部は後片部１６よりも下方に突出している。両側片部１７、１７の下端部にはフック７を枢支する枢支部２０、２０が対向して設けられている。また、後片部１６の下端面はフック７の回動範囲を規制するためのフック当接面１９となっている。
【００２０】
フック収納部１４の側片部１７、１７の上部の前端部は下方部よりも前方に突出した側面視三角形状の突片部２１、２１となっている。両突片部２１、２１にて回り止め部２２が構成されている。
【００２１】
ばね片部１５は、後片部１６を側片部１７、１７よりも上方に延出した縦片部２３と、縦片部２３の上縁から前方に突出する横片部２４とで構成され、側面視逆Ｌ字状に形成されている。このため、ばね片部１５は横片部２４の先端側が上下に移動するよう弾性変形しやすい形状となっている。また、移動体１１の上端部に位置する前記横片部２４の中央には上下に貫通するねじ孔２５が設けられている。
【００２２】
ボルト１２は六角ボルトからなり、操作部となる頭部２６から下方に突出した軸部２７には全長に亘ってその外周に雄ねじ２８が形成されている。軸部２７の雄ねじ２８は移動体１１のねじ孔２５に螺合され、ボルト１２を回転させることで、ボルト１２に対して移動体１１を上下方向に移動し、倒伏位置にあるフック７からボルト１２の頭部２６までの上下長さを変更できるようになっている。このボルト１２は螺着により移動体１１に取り付けられており、螺合を解除することで移動体１１から取り外すことができるようになっている。
【００２３】
フック７は、横長で縦断面形状が上方に開口するコ字状の金属板からなるフック本体１３と、フック本体１３の前部の両側の側片部２９、２９間に配設された弾性を有するブロック状の緩衝体３０とで構成されている。
【００２４】
フック本体１３の後部はフック収納部１４の側片部１７、１７の下端部の間に配置され、その両側の側片部２９、２９が対応する側片部１７に設けられた枢支部２０に枢支されている。
【００２５】
また、緩衝体３０はフック本体１３の前部内に位置し、その上端部はフック本体１３よりも上方に突出している。
【００２６】
前記フック７は、図３に示すように移動体１１に沿って起立してフック本体１３がフック収納部１４の下部の両側の側片部１７の間に大部分が収納された起立位置から、図２に示すように倒伏してフック本体１３の後端部の両側の側片部２９、２９の上端面が既述のフック当接面１９に当接する倒伏位置までの範囲で回動可能となっている。固定具４は、フック７を起立位置に配置した状態で、床パネル２の透孔８の主部９に挿入できるようになっている。
【００２７】
また、フック７は起立位置に配置した状態でその重心が枢支部２０、２０よりも上方且つ前方に位置している。これにより、フック７が前記起立位置に配置され且つフック７に外力が作用しない状態では、フック７がその自重により前記倒伏位置まで回動し、移動体１１から前方に向けて突出した状態となる。
【００２８】
床パネル２を架構体１に固定するには、まず、図４に示すように床パネル２の端縁部を架構体１の上フランジ５上に載置する。このとき、床パネル２の端縁部は上フランジ５のウェブ３１よりも外側に突出した部分に載置し、透孔８の下端開口を上フランジ５よりも少し外側に位置させる。
【００２９】
次に図５に示すように固定具４を床パネル２の透孔８に挿入するのだが、この挿入の前には、予め図２に示すようにボルト１２の軸部２７にばね座金３２及び平座金３３を順に通しておく。
【００３０】
そして、図３に示すように、固定具４をフック７を起立させてフック収納部１４内に収納した状態で床パネル２の上側より透孔８の主部９に挿入し、これにより、フック７を床パネル２よりも下方に位置させる。こうすると、フック７は図５に示すようにその自重により床パネル２の下面側において倒伏位置まで回動し、架構体１の上フランジ５の下方に突出する。
【００３１】
また、この際にボルト１２の頭部２６を透孔８の大径部１０に位置させ、ボルト１２の頭部２６をばね座金３２及び平座金３３を介して主部９の周縁部上に載置し、回り止め用の両突片部２１、２１の先端部を主部９の内面に当接させ、これにより移動体１１の床パネル２に対して回動しないよう固定する。
【００３２】
そして、このように回り止め部２２にて移動体１１の回動を防止した状態で、床パネル２の上面側からボルト１２の頭部２６を回動操作し、これにより、ボルト１２の軸部２７のねじ孔２５に対する螺合を進ませ、移動体１１を上昇させる。このボルト１２の回動操作は図１に示す状態となるまで行われる。つまり、この回動操作は、倒伏位置にある緩衝体３０が上フランジ５の下面に弾接してフック７が架構体１に係止され、且つ、ボルト１２の頭部２６にて平座金３３及びばね座金３２を介して床パネル２を下方に押圧する状態となるまで行われ、これにより、フック７とボルト１２の頭部２６とで床パネル２が上下方向に挟持され、床パネル２が上フランジ５に対して固定される。
【００３３】
以上説明した本例の床パネルの取付構造にあっては、床パネル２の上面側からボルト１２を操作することにより、フック７からボルト１２の頭部２６までの上下長さを調節することができ、床パネル２の厚みに対応できる。
【００３４】
また、フック７が移動体１１の下部に枢支されて自重により移動体１１に沿う起立位置から倒伏位置まで回動するので、床パネル２の下面側において収納位置にあるフック７を倒伏位置に回動させる作業をする必要がない。このため、前記固定具４による床パネル２の固定を全て床パネル２の上面側から行うことが可能となり、施工性に優れ、また、安全性も高い。
【００３５】
また、前記施工後においては、ボルト１２を緩めてボルト１２と移動体１１を分割することができ、リフォーム等の際には階下の天井等を除去することなく固定具４による床パネル２の固定を解除することができる。
【００３６】
また、フック７は緩衝体３０を介して架構体１に係止してあるので、固定具４が架構体１に接触することによる床鳴りを防止することができる。さらに、固定具４のばね片部１５はばね性を有するため、床パネル２上を歩行する等して床パネル２が揺れたり、経時的に床パネル２が収縮する等しても、ボルト１２が移動体１１に対して緩み難く、強固に床パネル２を固定できる。
【００３７】
なお、本例では、床パネル２を架構体１の上フランジ５上に載置すると共に固定具４のフック７を上フランジ５の下面に係止した例を示したが、床パネル２を架構体１の下フランジ６上に載置すると共にフック７を下フランジ６の下面に係止しても良いものとする。
【図面の簡単な説明】
【００３８】
【図１】本発明の実施形態の一例を示す断面図である。
【図２】同上の固定具のフックを倒伏位置に配置した状態を示す斜視図である。
【図３】同上の固定具のフックを起立位置に配置した状態を示す斜視図である。
【図４】同上の床パネルを架構体に載置した状態を示す斜視図である。
【図５】同上の固定具を床パネルの透孔に挿入し、フックを倒伏位置まで回動させた状態を示す断面図である。
【符号の説明】
【００３９】
１  架構体
２  床パネル
４  固定具
５  上フランジ
７  フック
８  透孔
１１  移動体
２１  突片部
【図１】
2010084467.tif 000003
【図２】
2010084467.tif 000004
【図３】
2010084467.tif 000005
【図４】
2010084467.tif 000006
【図５】
2010084467.tif 000007